(57)【特許請求の範囲】
【請求項１】
所定厚のマット本体と、
前記マット本体の主面上の少なくともいずれか一方に表示された模様部とを備え、
前記模様部は、
外形が閉曲線状又は多角形の辺状の環領域と、
前記環領域によって取り囲まれる島領域と、
前記島領域を複数の領域に分割するように設けられた帯領域とから構成される、
遊戯用マット。
【請求項２】
前記帯領域は、前記島領域を二等分するように設けられている、
請求項１に記載の遊戯用マット。
【請求項３】
前記環領域の少なくとも一部は、同一形状の複数の小領域の列として形成されており、
前記島領域の前記複数の領域は、前記小領域よりも面積の大きい同一形状の複数の大領
域を含んでいる、
請求項１又は２に記載の遊戯用マット。
【請求項４】
前記環領域の、一部の小領域の内部に形成された、所定形状の第１の目印模様と、
前記島領域の前記複数の領域の、少なくとも一部の大領域の内部に形成された、所定形
状の第２の目印模様とを
さらに備えた、
請求項３に記載の遊戯用マット。
【請求項５】
前記帯領域の内部に形成された、所定形状の第３の目印模様をさらに備えた、
請求項３又は４に記載の遊戯用マット。
【請求項６】
前記環領域の前記一部の小領域及び前記島領域の前記複数の領域の前記少なくとも一部
の大領域の少なくともいずれか一方は、四角形の形状を有する、
請求項４又は５に記載の遊戯用マット。
【請求項７】
前記第１の目印模様及び前記第３の目印模様の所定形状の少なくともいずれか一つは、
円形である、
請求項４又は５に記載の遊戯用マット。
【請求項８】
前記第２の目印模様の前記所定の形状は、一対の四角形及び１つの円形から構成された
ものである、
請求項４に記載の遊戯用マット。
【請求項９】
所定厚のマット本体と、
前記マット本体の主面上の少なくともいずれか一方に表示された模様部とを備え、
前記模様部は、
外形が閉曲線状又は多角形の辺状の環領域と、
前記環領域によって取り囲まれる島領域とを備え、
前記環領域の少なくとも一部は、同一形状の複数の小領域の列として形成されており、
前記島領域は、前記小領域よりも面積の大きい同一形状の複数の大領域を含んでおり、
前記島領域の一部の大領域の内部には、所定形状の第４の目印模様が形成されている、
遊戯用マット。
【請求項１０】
前記環領域は、前記マット本体の前記主面の形状の輪郭に沿って形成されている、
請求項１から９のいずれかに記載の遊戯用マット。
【請求項１１】
前記マット本体は、
前記模様部を表示する表示体層と、
前記表面層の下であって、少なくとも前記模様部が配置された位置に対応する位置に設
けられた緩衝材層とを備えた、
請求項１から１０のいずれかに記載の遊戯用マット。
【請求項１２】
前記緩衝材層は、低反発弾性フォームを材料とするものである、
請求項１１に記載の遊戯用マット。
【請求項１３】
前記マット本体の、少なくともいずれか一方の主面は、粗面又は再剥離型の粘着面であ
る、
請求項１１のいずれかに記載の遊戯用マット。
【請求項１４】
請求項５に記載の遊戯用マットと、
前記遊戯用マット上に載置するための、平面形状が円弧型の載置部材と、前記載置部材
の上面に設けられた把持部とを有する遊戯補助用具と、を備えた遊具。
【請求項１５】
前記遊具の前記載置部材は、
その底面に前記円弧に対応した形状を有するとともに少なくとも前記把持部の高さより
も深さの大きい溝を有し、
前記溝の対向する面がなす角は、前記載置部材の側面同士がなす角より大きい、
請求項１４に記載の遊具。
【発明の詳細な説明】
【技術分野】
【０００１】
本発明は、遊戯用マット及びそれを用いた遊具に関するものである。
【背景技術】
【０００２】
従来より、幼児や児童向けの遊具として、表面に記号や文字を表示させたマットが知られている。使用者は、文字や記号固有の含意又は予め学習したルールに基づき文字や記号を解釈することによりマット上で特定の行動を行うことで、知育、体育等の教育が実現されるというものである。
【０００３】
その一例として、特許文献１に記載の発明は、それぞれに模様を表示させた、分離結合可能な複数のマット片から構成された一体のマットを開示している。
【先行技術文献】
【特許文献】
【０００４】
【特許文献１】特開２００３−１０２８９３号公報
【発明の概要】
【発明が解決しようとする課題】
【０００５】
しかしながら、上記従来の技術には、以下のような問題があった。
【０００６】
すなわち、マットを利用した、模様に含まれる記号や文字の解釈等に基づくルールに従った遊戯は、模様がある程度具体的な形状をとらなければ、使用者にとって十分に目的とする行動を実施させることは困難である。模様は、行動を規制するに足るだけの論理的な構成を有し、その理解は使用者にとって容易であることが望ましいからである。
【０００７】
これに対し、上記特許文献１等に開示された模様パターンは、双六の通路を模した曲線模様を開示するものに過ぎず、これは、使用者として設定された幼児等の理性よりは情緒に訴えるものであり、使用者の行動を規制するに足るだけの具体的な構成を有するとは言えない。更に、当該模様パターンは模様と言うよりはイラストレーションに近く、単に美的な観念を想起させるものであり、各種遊戯の実施を教導するに足るほどの汎用性を有するものとも言えない。
【０００８】
要するに、従来の遊戯用マットは、マット表面の装飾の域を脱するものではなく、幼児・児童の知育体育の増進という点においては実用性に乏しいものであった。
【０００９】
本発明は上記の課題に鑑みてなされたものであり、知育体育の増進において十分な実用性を発揮しうる遊戯用マット及びそれを用いた遊具を提供することを目的とする。
【課題を解決するための手段】
【００１０】
上記の目的を達成するために、本発明の第１の側面は、
所定厚のマット本体と、
前記マット本体の主面上の少なくともいずれか一方に表示された模様部とを備え、
前記模様部は、
外形が閉曲線状又は多角形の辺状の環領域と、
前記環領域によって取り囲まれる島領域と、
前記島領域を複数の領域に分割するように設けられた帯領域とから構成される、
遊戯用マットである。
【００１１】
又、本発明の第２の側面は、
前記帯領域は、前記島領域を二等分するように設けられている、
本発明の第１の側面の遊戯用マットである。
【００１２】
又、本発明の第３の側面は、
前記環領域の少なくとも一部は、同一形状の複数の小領域の列として形成されており、
前記島領域の前記複数の領域は、前記小領域よりも面積の大きい同一形状の複数の大領域を含んでいる、
又、本発明の第１又は第２の側面の遊戯用マットである。。
【００１３】
又、本発明の第４の側面は、
前記環領域の、一部の小領域の内部に形成された、所定形状の第１の目印模様と、
前記島領域の前記複数の領域の、少なくとも一部の大領域の内部に形成された、所定形状の第２の目印模様とを
さらに備えた、
本発明の第３の側面の遊戯用マットである。
【００１４】
又、本発明の第５の側面は、
前記帯領域の内部に形成された、所定形状の第３の目印模様をさらに備えた、
本発明の第３又は第４の側面の遊戯用マットである。
【００１５】
又、本発明の第６の側面は、
前記環領域の前記一部の小領域及び前記島領域の前記複数の領域の前記少なくとも一部の大領域の少なくともいずれか一方は、四角形の形状を有する、
本発明の第４又は第５の側面の遊戯用マットである。
【００１６】
又、本発明の第７の側面は、
前記第１の目印模様及び前記第３の目印模様の所定形状の少なくともいずれか一つは、円形である、
本発明の第４又は第５の側面の遊戯用マットである。
【００１７】
又、本発明の第８の側面は、
前記第２の目印模様の前記所定の形状は、一対の四角形及び１つの円形から構成されたものである、
本発明の第４の側面の遊戯用マットである。
【００１８】
又、本発明の第９の側面は、
所定厚のマット本体と、
前記マット本体の主面上の少なくともいずれか一方に表示された模様部とを備え、
前記模様部は、
外形が閉曲線状又は多角形の辺状の環領域と、
前記環領域によって取り囲まれる島領域とを備え、
前記環領域の少なくとも一部は、同一形状の複数の小領域の列として形成されており、
前記島領域は、前記小領域よりも面積の大きい同一形状の複数の大領域を含んでおり、
前記島領域の一部の大領域の内部には、所定形状の第４の目印模様が形成されている、
遊戯用マットである。
【００１９】
又、本発明の第１０の側面は、
前記環領域は、前記マット本体の前記主面の形状の輪郭に沿って形成されている、
本発明の第１から第９のいずれかの側面の遊戯用マットである。
【００２０】
又、本発明の第１１の側面は、
前記マット本体は、
前記模様部を表示する表示体層と、
前記表面層の下であって、少なくとも前記模様部が配置された位置に対応する位置に設けられた緩衝材層とを備えた、
本発明の第１から第１０のいずれかの側面の遊戯用マットである。
【００２１】
又、本発明の第１２の側面は、
前記緩衝材層は、低反発弾性フォームを材料とするものである、
本発明の第１１の側面の遊戯用マットである。
【００２２】
又、本発明の第１３の側面は、
前記マット本体の、少なくともいずれか一方の主面は、粗面又は再剥離型の粘着面である、
本発明の第１１の側面の遊戯用マットである。
【００２３】
又、本発明の第１４の側面は、
本発明の第５の側面の遊戯用マットと、
前記遊戯用マット上に載置するための、平面形状が円弧型の載置部材と、前記載置部材の上面に設けられた把持部とを有する遊戯補助用具と、を備えた遊具である。
【００２４】
又、本発明の第１５の側面は、
前記遊具の前記載置部材は、
その底面に前記円弧に対応した形状を有するとともに少なくとも前記把持部の高さよりも深さの大きい溝を有し、
前記溝の対向する面がなす角は、前記載置部材の側面同士がなす角より大きい、
本発明の第１４の側面の遊具である。
【発明の効果】
【００２５】
以上のような本発明によれば、知育体育の増進において十分な実用性を発揮しうる遊戯用マット及びそれを用いた遊具を得ることができる。
【図面の簡単な説明】
【００２６】
【図１】本発明の実施の形態にかかる遊戯用マットの平面図である。
【図２】（ａ）本発明の実施の形態にかかる遊戯用マットの斜視図である。（ｂ）本発明の実施の形態にかかる遊戯用マットのマット本体の他の構成例を示す図である。
【図３】（ａ）本発明の実施の形態にかかる遊戯用マットの要部断面図である。（ｂ）本発明の実施の形態にかかる遊戯用マットの他の構成例の要部断面図である。（ｃ）本発明の実施の形態にかかる遊戯用マットの他の構成例の要部断面図である。（ｄ）本発明の実施の形態にかかる遊戯用マットの他の構成例の要部断面図である。
【図４】（ａ）本発明の実施の形態にかかる遊戯用マットの使用法を説明するための図である。（ｂ）本発明の実施の形態にかかる遊戯用マットの使用法を説明するための図である。
【図５】（ａ）本発明の実施の形態にかかる遊戯用マットの使用法を説明するための図である。（ｂ）本発明の実施の形態にかかる遊戯用マットの使用法を説明するための図である。
【図６】（ａ）本発明の実施の形態にかかる遊戯用マットの使用法を説明するための図である。（ｂ）本発明の実施の形態にかかる遊戯用マットの使用法を説明するための図である。
【図７】（ａ）本発明の実施の形態にかかる遊戯用マットの使用法を説明するための図である。（ｂ）本発明の実施の形態にかかる遊戯用マットの使用法を説明するための図である。
【図８】本発明の実施の形態にかかる遊戯用マットの使用法を説明するための図である。
【図９】（ａ）本発明の実施の形態にかかる遊戯用マットと組み合わせて用いる遊具の構成を示す斜視図である。（ｂ）本発明の実施の形態にかかる遊戯用マットと組み合わせて用いる遊具の構成を示す平面図である。（ｃ）本発明の実施の形態にかかる遊戯用マットと組み合わせて用いる遊具の構成を示す背面図である。（ｂ）本発明の実施の形態にかかる遊戯用マットと組み合わせて用いる遊具の使用状態を示す要部断面図である。
【図１０】（ａ）本発明の実施の形態にかかる遊戯用マットの他の構成例を示す斜視図である。（ｂ）本発明の実施の形態にかかる遊戯用マットの他の構成例を示す斜視図である。
【図１１】本発明の実施の形態にかかる遊戯用マットの他の構成例を示す平面図である。
【図１２】本発明の実施の形態にかかる遊戯用マットの他の構成例を示す平面図である。
【発明を実施するための形態】
【００２７】
以下、本発明の実施の形態を、図面を参照して説明する。
【００２８】
図１は、本発明の実施の形態１による遊戯用マット１の構成を示す平面図である。
【００２９】
（１．模様部２０について）
図１に示すように、遊戯用マット１は、平面形状が長方形のマット本体１０の主面上に形成された模様部２０を有する。
【００３０】
模様部２０は、マット本体１０の主面の四辺に沿って形成された、外形が長方形の枠状の形状を有する環領域２１、環領域２１の枠の内部に位置する外形が長方形の島領域２２、及び島領域２２の中央部に位置し、島領域２２の長辺と平行を成すように設けられた帯領域２３とから構成される。
【００３１】
環領域２１は、マット本体１０の縁部寄りに形成された外形が長方形の外枠パターン２１２、外枠パターン２１２とほぼ相似形であって、マット本体１０の中央寄りに形成された内枠パターン２１３、外枠パターン２１２と内枠パターン２１３との空隙に位置し、その両端が外枠パターン２１２の内側及び内枠パターン２１３の外側にそれぞれ接続している桟パターン２１４から構成される。
【００３２】
外枠パターン２１２，内枠パターン２１３及び桟パターン２１４で区画された長方形の領域である小領域２１１は、環領域２１の主部としてマット本体１０の主面の輪郭に沿って配列された構成を有する。小領域２１１のうち、環領域２１の角の位置、及び各辺を２等分若しくは４等分する位置にあるものの内部には、外形が円形の目印模様２１１ａが配置されている。
【００３３】
次に、島領域２２は、環領域の内枠パターン２１３の内側に位置する、外形が長方形の領域である。島領域２２は、その長辺方向と平行な帯領域２３とその短辺方向と平行な桟パターン２２３によって更に細かな領域に区画されている。区画された領域は、外形が四角形の大領域２２１と、大領域２２１より面積が小さい四角形の中領域２２２とから構成され、中領域２２２は島領域２２２の端部（図１中では上端）にレイアウトされている。
【００３４】
更に大領域２２１の内部には、外形が正方形の目印模様２２１ａ及び外形が円形の目印模様２２１ｂが配置されている。図１に示すように、大領域２２１において、目印模様２２１ａは二個一組で島領域２２の短辺方向に平行に配列され、目印模様２２１ｂは目印模様２２１ａの重心に対向するように配置される。すなわち、目印模様２２１ａ及び目印模様２２１ｂは全体としては三角形の各頂点に位置するようレイアウトされている。
【００３５】
次に、帯領域２３は輪郭を持たず地色のみで構成される領域であり、その内部には、その長辺をほぼ四等分する位置に３つの目印模様２３ａが設けられている。目印模様２３ａは、目印模様２１１ａ及び２２１ｂと同様外形は円形である。また、中央の目印模様２３ａの外周には、当該目印模様２３ａと同心円をなす目印模様２３ｂが配置されている。目印模様２３ｂは帯領域２３の全幅より大きな直径を有し、島領域２２の中心に位置している。ただし、帯領域２３は輪郭線により構成されるものであってもよい。
【００３６】
次に、模様部２０を構成する環領域２１、島領域２２及び帯領域２３の配色について説明する。
【００３７】
環領域２１に関しては、外枠パターン２１２と、内枠パターン２１３及び桟パターン２１４との間で互いに色が異なり、かつ内枠パターン２１３と桟パターン２１４とは同色であることが望ましい。更に、環領域２１を構成する何れのパターンの色も、マット本体１０の主面の地色とは異なる色であることが望ましい。
【００３８】
上記の場合、大領域２１１及び中領域２２２は、外枠パターン２１２等の色と異なる限り、マット本体１０の地色と同色であってもよいし異なる色であってもよい。
【００３９】
又、目印模様２１１ａは少なくとも輪郭部分のみ存在していればよいが、全面着色された状態であってもよい。配色は外枠パターン２１２等と同一であってもよいし異なる色であってもよい。要するに、小領域２１１の地色と異なってさえいればよい。
【００４０】
次に、島領域２２に関しては、大領域２２１及び中領域２２２は、マット本体１０の地色と同色であることが望ましいが、環領域２１の各パターンの色と異なる限り、マット本体１０の地色と異なる色であってもよい。又、目印模様２２１ａ、２２１ｂ及び２２２ａに関しては、環領域２１の目印模様２１１ａの場合と同様の配色であることが望ましい。
【００４１】
又、帯領域２３の配色については、その全面が環領域２１の各パターンと同色であり、目印模様２３ａの配色は、環領域２１と異なる色、例えばマット本体１０の地色と同色であることが望ましい。
【００４２】
ただし、上述した各領域の色分けはあくまでも例示であって、各パターン、各領域及び各目印模様が目視によって他のパターン等並びにマット本体１０の地色と区別することができれば、任意の配色としてもよいことは言うまでもない。
【００４３】
（２．マット本体１０について）
次に、図２及び図３を参照して、マット本体１０の構成を説明する。図２（ａ）の斜視図に示すように、マット本体１０は、平面形状が長方形で一定の厚みを有する、マット状の部材で、使用しないときは筒状に丸めておける、又は折り畳み可能な程度の可撓性を有するものである。なお、平面寸法としては最低１２０ｃｍ×１５０ｃｍ程度はあることが望ましいが、これに限らず任意の寸法であってもよい。又、厚みも１〜１０ｍｍ程度の範囲に収まることが望ましいが、これも任意であってよい。又、マット本体１０は模様部２０をその表面に表示する。なお、図中において模様部２０の詳細は省略して示した。
【００４４】
図３（ａ）〜（ｂ）は、マット本体１０の内部構成を示す、主面直交方向による断面図である。
【００４５】
図３（ａ）に示すように、マット本体１０は、模様部２０の表示面を形成する表示体層１１、マット本体１０を敷設する際に床、地面等に直接接触する接触層１３、及び表示体層１１及び接触層１３との間に位置する緩衝材層１２とから構成される。表示体層１１は塩化ビニル樹脂、合成ゴム等の化学樹脂製であり、その表面に、印刷、塗装、又は模様部２０の平面形状に対応して成型された別部材の接着等により模様部２０を形成する。なお、模様部２０は表示体層１１上に固定的に表示されていればよく、模様部２０を表示体層１１に定着させるための技術的手段の差異によって本発明は限定されるものではない。
【００４６】
接触層１３は、表示体層１１と同様化学樹脂製であり、特に屋内における使用を考慮した場合、その表面（マット本体１０において外部に露出する面）は、滑り止めのために表面を粗面とすること、又は再剥離型の粘着面とすることが望ましい。粗面の具体的な形態としては、微細な凹凸面（凹凸の径が１〜１０ｍｍ）であってもよいし、格子状又は複数の列を構成する溝又は凸列をモールドしてなる構成であってもよい。要するに、表面が平滑で無い状態であればよい。
【００４７】
緩衝材層１２は、例えば軟質ポリウレタンを利用した低反発弾性フォームにより形成され、表示体層１１から印加される使用者由来の圧力を吸収し、敷設面に衝撃が加わることを防ぐ役割を果たす。緩衝材層１２としてはシリコンゴムその他の合成ゴムを用いてもよいが、特に屋内使用を考慮した場合は、低反発性、復元速度が大きく騒音の低減化が実現できるため、低反発性弾性フォームのほうが望ましい。又、高分子ゲルを用いてもよい。しかしながら、衝撃吸収効果を有するものであれば、緩衝材層１２は、その物理的・化学的性質によって限定されるものではない。
【００４８】
表示体層１１、緩衝材層１２及び接触層１３同士の接合は接着剤等の公知の接合手段によってよいが、図３（ｂ）の断面図に示すように、表示体層１１と接触体層１３とを、それら各層の縁面である接合面１４にて直接接合することにより、マット本体１０内部に緩衝材層１２を封止する構成としてもよい。この場合、緩衝材層１２として、上述の低反発弾性フォームのような固体やゲルの他に、液相の素材を利用することでき、さらに衝撃吸収効果を高めることが可能となる。
【００４９】
又、マット本体１０は、表示体層１１の更に上面に透明の被覆層を備えた構成としてもよい。被覆層は、表示体層１１を保護し模様部２０と使用者との直接接触を防ぐ役割を果たす。これにより、長期間の使用により模様部２０の汚損や退色その他の劣化を軽減することが可能となる。この場合、図３（ｃ）に示すように、マット本体１０の両方の主面上に透明の被覆層１５を設け、当該両面を表示体層１１とした構成とすることもできる。なお、この構成の場合は、被覆層１５の表面を、上述したような粗面又は再剥離型の粘着面とすることが望ましい。
【００５０】
更に、図３（ｄ）に示すように、緩衝材１２の表面に直接模様部２０を形成した構成としてもよい。
【００５１】
以上のような構成を有する本発明の実施の形態による遊戯用マットは、模様部２０が、環領域２１、島領域２２及び帯領域２３から構成されることにより、特定の観念を生じさせない抽象性を保ち、かつ明解な幾何学模様の組み合わせとして、利用者の理性に直接的、直感的に訴えかけることができる。したがって、各これら領域の特徴に基づいて策定した遊戯のルールは利用者にとって容易に把握することができ、その結果、既成の遊戯のみならず、使用者の発案に基づく創作遊戯をも実施することのできる高い汎用性を実現することができる。
【００５２】
（３．遊戯用マット１に基づく遊戯の実施例について）
次に、本発明者の発案による、本実施の形態の遊戯用マットを利用した遊戯であって特に幼児向けに好適な遊戯の実施例について、図４〜図９を参照して説明を行う。
【００５３】
（３−１．ケンパ）
図４（ａ）に示すように、模様部２０のうち、島領域２２の目印模様２２１ａ、２２１ｂ及び２２２ａを利用する。遊戯者は目印模様２２１ａ及び２２１ｂを着地目標として、島領域２２を縦断し、目印模様２２２ａを終点とする跳躍運動を行う。このとき、目印模様２２１ｂに対しては、その円内に片足裏が収まるように片足で立ち、二個一組の目印模様２２１ａ及び２２２ａに対しては、左右の足裏が並列した目印模様２２１ａの四角形のそれぞれに収まるように両脚を広げるようにする。運動中、片足で着地する際には「ケン」、脚を広げる際には「パ」と声に出す、又は外部（遊戯者が幼児である場合はその保護者が該当する）から声をかけてもらい「ケン・パ・ケン・パ・ケンパッパ」とリズムを取りながら島領域２２を飛ぶことにより、リズム感も養うことが可能となる。
【００５４】
（３−２．石けり）
図４（ａ）に示すように、大領域２２１を利用する。遊戯者は、小石又はそれに相当する小片を別途用意し、当該小石等を、足蹴りによって大領域２１１内に収まるように跳ばす。このとき遊戯者は片足で立ち、空いた他方の脚で蹴りの動作を行うものとする。一連の動作を、島領域２２内の各領域毎に繰り返し行う。なお、遊戯者が幼児とその保護者であるような場合は、ハンディキャップとして、幼児は大領域２２１を目標とし、保護者はより小さな標的である目印模様２２１ａを目標とするようにしてもよい。
【００５５】
（３−３．じゃんけん競争）
図５（ａ）に示すように、模様部２０の環領域２１を利用する。遊戯者は、任意の目印模様２１１ａを起点とし対辺側にある目印模様２１１ａを終点として、じゃんけんによる勝敗に基づき小領域２１１を一コマとして移動する（図５（ａ）の場合は環領域２１において点対称をなす位置にある２つの目印模様２１１ａの間を移動する）。
【００５６】
一例として、グーで勝った場合は一コマ、チョキで勝った場合は２コマ、パーで勝った場合は５コマ、等、勝利条件に応じて移動可能なコマ数を予め定めておくことにより、遊戯的な面白さが加味される。負けた方はコマを戻るように定めてもよい。遊戯者が大勢となった場合は、起点及び終点となる目印模様２１１ａを利用者毎に違えるようにして、利用者全員が環領域２１上を移動できるようにすることが望ましい。
【００５７】
（３−４．押しくらまんじゅう）
図５（ｂ）に示すように、環領域２１の内枠パターン２１３を利用する。参加者は内枠パターン２１３内でおしくらまんじゅうを行い、押されて内枠パターン２１３の外にはみ出したものが負けとなる。
【００５８】
（３−５．そとからデ〜ン）
図５（ｂ）に示すように、環領域２１の内枠パターン２１３を主に使用する。遊戯者は内枠パターン２１３から内側に立ち入らないようにしながら環領域２１上を走る「鬼」役と、島領域２２（図中白黒反転にて示す）内を動き回る「子」役とに別れ、鬼役の遊戯者が環領域２１上から島領域２２内の子役の遊戯者に直接タッチすることができれば、鬼役の「勝ち」として、鬼役と子役とを入れ替える。
【００５９】
（３−６．はたいてパン）
図４（ａ）に示すように、島領域２２内の二個一組の目印模様２２１ａを二組利用する。遊戯者は二人一組となり、それぞれ、一組の目印模様２２１ａの並列した四角形内に両足裏をそれぞれ配置するように直立し、かつ両者が向かい合わせの姿勢をとる。
【００６０】
両者は両手を伸ばし、互いに左右の手のひらを合わせて押し合う。姿勢を崩して足が動いてしまったほうが負けとなる。
【００６１】
なお、上記ルールは小学生低学年を念頭においたものであるが、年齢に応じて勝利条件を変更することが望ましい。一例として、幼稚園児程度であれば、足が動いても、目印模様２１１ａの四角形内に止まっていればよいと定める。
【００６２】
又、更に低年齢（１〜２歳の幼児）と親とが遊戯する場合においては、手のひらを合わせるのではなく、相撲のように組み合うことが望ましい。
【００６３】
（３−７．飛び石鬼ごっこ）
図４（ｂ）に示すように、外枠パターン２１２及び目印模様２１１ａ及び２３ａを利用する。遊戯者は年少者と年長者（例えば幼児とその親）を想定する。いずれか一方が「鬼」役として逃げる他方「子」役を追いかけ、子役の身体に接触することができれば、鬼・子の役割を交代する。ただし、年少者は外枠パターン２１２の内部を自在に活動してよいが、年長者は必ず目印模様２１１ａ又は２３ａ内に足裏を着地させるようにして移動しなければならないものとする。
【００６４】
（３−８．８の字鬼ごっこ）
図６（ａ）に示すように、帯領域２３の目印模様２３ａを利用する。（飛び石鬼ごっこ）と同様に鬼役と子役とに分かれて遊戯者は追いかけっこを行うが、帯領域２３において両端に位置する二つの目印模様２３ａの周囲を８の字を描くように移動するようにする。
【００６５】
なお、鬼役と子役が交代した際は逆向きに移動するようにしてもよい。又、目が回りそうになった場合は、８の字ではなく、一方通行でＯの字を描くように移動してもよい。
【００６６】
（３−９．円盤投げ）
図６（ｂ）に示すように、島領域２２内の中領域２２２並びに目印模様２２１ａ及び環領域２１の目印模様２１１ａを利用する。遊戯者は、目印模様２１１ａの位置から、中領域２２２又は目印模様２２１ａを標的として、円盤（既製品。スポンジ製のものが望ましい）を投擲する。目印模様２１１ａからの距離が遠い模様又は領域に円盤を着地できた者が高得点を得られるものとする。なお、円盤の代わりに投げ輪を用いても同様の遊戯を行うことができる。
【００６７】
（３−１０．ドッジボール）
図５（ｂ）に示すように、島領域２２（内枠パターン２１３により囲まれる領域）を利用する。遊戯者は、島領域２２内にて自由に動き回る者と、模様部２０又はマット本体１０の外側から島領域２２内の者に対してボールを投げる者とに分かれ、ドッジボールを行う。ボールを当てられたものは島領域２２を出てボールを投げる側に回り、当てることに成功したものは入れ替わりに島領域２２に入る。入れ替わることなく、ボールを当てられたものが一方的に島領域２２から出ていくルールとしてもよく、この場合、最後まで島領域２２に残ったものが勝利者となる。
【００６８】
（３−１１．ボールでボールを追いだそう）
図７（ａ）に示すように、帯領域２３の目印模様２３ｂを利用する。目印模様２３ｂの円（図１等を参照）の内側に、小さなボールを所定数配置する。遊戯者は、これら配置したボールめがけて、目印模様２３の外側から別のボールを転がす。遊戯者が転がしたボールが目印模様２３ｂ内のボールに衝突し、その勢いで目印模様２３ｂの外に転がり出せば、勝ち又は得点が得られるものとする。なお、ボールはゴム製又はスポンジ製であることが望ましい。
【００６９】
（３−１２．宝探し）
図７（ｂ）に示すように、島領域２２内の目印模様２２１ｂと、帯領域２３内の目印模様２３ａとを利用する。別途用意した円盤（図中破線に示すように目印模様の円形の直径以上の直径を有することが望ましい。紙製で自作することができる）で目印模様２２１ｂ及び２３ａを覆う。このとき、目印模様の一つだけ「宝」となりうる紙片（トランプのカード等）を円盤とマット本体１０との間にはさみ混む。遊戯者は円盤を順々にめくることにより宝である紙片を探し当てる。
【００７０】
なお、遊戯者の年齢や人数に合わせてルールを種々変更することができる。例えば、幼児を対象とする場合は宝の数を増やすことでより興味を引きつけることができる。又、遊戯者が一人である場合は、全ての円盤をめくらせるのではなく予め規定した枚数だけめくることができる旨（例：最後の一枚はめくってはいけない）を定めておく。これにより、規定された枚数以内に宝である紙片を見つけられなかった場合、その遊戯者を負け、とすることができる。
【００７１】
（３−１３．かごめかごめ）
図７（ａ）に示すように、帯領域２３の目印模様２３ｂを利用する。「鬼」役の遊戯者は目印模様２３ｂ（図１等を参照）の中にしゃがみこみ、他の遊戯者は手を繋いで輪になって鬼役を取り囲むようにする。
【００７２】
（３−１４．陣取りゲーム）
図８に示すように、環領域２１の外枠パターン２１２並びに目印模様２１１ａ及び帯領域２３の目印模様２３ａを利用する。さらに、遊戯用マット１に加えて、図９に示す陣取り用具３０を併せて使用する。
【００７３】
図９（ａ）は、陣取りゲームに用いる陣取り用具３０の構成を示す斜視図であり、図９（ｂ）は同平面図、図９（ｃ）は同背面図である。
【００７４】
図９（ａ）〜（ｃ）に示すように、陣取り用具３０は、平面形状が円弧状の本体部３１と、本体部３１の上面に設けられた把持用のつまみ部３２とから構成される。つまみ部３２は本体部３１と同様に円弧状の平面形状を有し、かつその両端は傾斜面を有し、図９（ｃ）に示すように前後面において台形形状を有する。
【００７５】
又、図９（ｃ）に示すように、本体部３１の裏面には、本体部３１の全長に沿って溝３１ａが形成されている。溝３１ａの（溝自身の延伸方向に直交する）断面形状及び本体部３１の同断面形状は、いずれも台形であるが、本体部３１の底面に向かう開き角において、本体部３１の両壁面３１０がなす角より、溝３１ａの対向する両側面３１１がなす角のほうが小さい形状を有する。又、溝３１ａの深さは、つまみ部３１２の全高よりも大きくなっている。なお、陣取り用具３０はポリエチレン樹脂その他の化学樹脂のキャスト成型によって作成することができる。
【００７６】
以上のような構成を有する陣取り用具３０を遊戯用マット１と組み合わせることにより行う陣取りゲームは、それぞれが複数個（一例として５〜８個）の陣取り遊具３０を有する二人の遊戯者が、二人で対戦するゲームである。模様部２０の対角位置にある目印模様２１１ａをそれぞれの起点とした後、目印模様２２１ａが陣取り遊具３０の本体部３１の円弧に含まれるように陣取り用具３０を模様部２０上に載置する。このとき、陣取り用具３０の両端はそれぞれが外枠パターン２１２に接するようにする。
【００７７】
遊戯者はじゃんけんを行い、勝ったほうが、新たな陣取り用具３０を遊戯用マット１上に載置する権利を取得するものとする。陣取り用具３０の載置は、本体部３０の両端が、過去に陣取り用具３０が載置された位置又は外枠パターン２１２に必ず接するように行う。これにより、図中の載置レイアウト３１ａ又は３１ｂに示されるように、模様部２０上において、陣取り用具３０の円弧及び外枠パターン２１２の縁により形成される領域は、模様部２０上に占めるその面積を徐々に拡大していくことになる。
【００７８】
上記のルールに従って、最終的に帯領域２３上の目印模様２３ａが陣取り用具３０の載置レイアウト内に含まれるようになるまで陣取り用具３０を載置させることができれば勝ちとなる。図８に示す例は、じゃんけんの勝ち数が上回った図中右下側の遊戯者（載置レイアウト３１ａ）が図中左上側の遊戯者（載置レイアウト３１ｂ）に勝った状態である。
【００７９】
なお、陣取りゲームにおいては、複数の陣取り用具３０を必要とするが、上述したように、陣取り用具３０の本体部３１の底面には溝３１ａが形成されており、複数の陣取り用具３０を重ねる際に、つまみ部３２を含めた本体部３１の上面を溝３１ａにはめ込むことができる。
【００８０】
ここで図９（ｄ）に例として、４つの陣取り用具３０を積み重ねた状態を、図９（ｂ）のＡ−Ａ’直線に沿った断面を模式的に示す。陣取り用具３０は、底面に対する開き角に関し、溝３１ａの両内壁３１１の角度より本体部３１の両壁面３１０の為す角のほうが大きいため、積層状態において、溝３１ａに本体部３１の上面がくい込んでいるのがわかる。
【００８１】
このような構成とすることにより、陣取り用具３０は使用しないときは一つに纏めておくことができ、収納性、携帯性において優れた効果を有する。
【００８２】
又、上記の説明において、陣取り用具３０は本発明の遊戯補助用具に相当し、本体部３１は本発明の載置部材に相当し、つまみ部３２は本発明の把持部に相当する。又、遊戯用マット１と陣取り用具３０との組み合わせは、本発明の遊具に相当するものである。なお、上記の説明においては、陣取り用具３０は本体部３１に重ね合わせ用の溝３１ａを備えた構成としたが、溝３１ａは省略した構成であってもよい。又、つまみ部３２の形状も、台形でなく長方形、半円（半楕円）形など、使用者が本体部３１に触れずにつまむことができるものであれば任意の形状であってよい。
【００８３】
以上の遊戯はあくまで一例であり、本実施の形態の遊戯用マット１によれば、模様部２０を構成する各領域及び目印模様を任意に組み合わせて、各種多数の遊戯を考案、実現することが可能となる。
【００８４】
そして、これら遊戯を通じて、遊戯用マット１の主たる利用者である幼児は、知育体育の増進として、譲り合い、いたわり合い等の協調性、社会性を養い、情操の向上を図ることが可能となる。さらに、身体を使い、複数の参加者と連れだっての遊戯の実施は、近年社会に見られるようなテレビやＤＶＤ等の映像メディア、ゲームに依存して育った若年層が苦手とする対人コミュニケーションを成長の早期段階から促し、豊かな情緒を育むことが大いに期待されるものである。
【００８５】
なお、上記の説明において、遊戯用マット１は本発明の遊戯用マットに相当し、模様部２０は本発明の模様部に相当し、環領域２１は本発明の環領域に相当し、島領域２２は本発明の島領域に相当し、帯領域２３は本発明の帯領域に相当する。
【００８６】
又、小領域２１１は本発明の小領域に相当し、中領域２２２及び大領域２２１は本発明の島領域の複数の領域に相当し、大領域２２１は本発明の大領域に相当し、目印模様２１１ａは本発明の第１の目印模様に相当し、目印模様２２１ａと目印模様２２１ｂとの組み合わせは、本発明の第２の目印模様に相当し、目印模様２３ａは本発明の第３の目印模様に相当する。又、大領域２２１において、二個一組の目印模様２２１ａは本発明の一対の四角形に相当し、目印模様２２１ｂは本発明の１つの円形に相当するものである。
【００８７】
更に、マット本体１０は本発明のマット本体に相当し、表示体層１１は本発明の表示体層に相当し、緩衝材層１２は本発明の緩衝材層に相当する。
【００８８】
しかしながら、本発明は、上記実施の形態に限定されるものではない。
【００８９】
上記の説明においては、模様部の外形はマット本体の外形と相似形であるとしたが、マット本体の平面形状と模様部全体の形状は異なっていてもよい。図１０（ａ）は、模様部２０の外形を長方形とし、マット本体１０の平面形状を円形とした構成例である。模様部２０の外縁とマット本体１０の外縁とは図１に示すように殆ど一致していてもよいが、図１０（ａ）に例示するように離れていてもよい。
【００９０】
更に、マット本体の平面形状は任意であってよいし、その表面に表示される模様部の外形も任意の形状であってよい。図１０（ｂ）は、模様部２０及びマット本体１０の平面形状を六角形とした構成例である。模様部２０の外形は曲線であってもよい。この場合、特に環領域２１は、その外形が閉曲線をなすものであればよく、その輪郭は円、楕円など任意の形状をとることができる。
【００９１】
さらに、模様部を構成する各小領域、中領域、大領域又は目印模様の形状も、実施の形態に示した長方形、正方形、円形に限定されるものではなく、多角形、円形、楕円、長円、星形など、任意の形状をとってよく、本発明は模様部の細部の具体的な態様によって限定されるものではない。少なくとも環領域の外形が閉曲線状又は多角形の辺状として表されており、これに基づき島領域と、島領域を複数の領域に分けるように設けられた帯領域とがそれぞれ設けられていればよい。
【００９２】
ここで図１１に、帯領域２３を２つ設け、島領域２２を３つの領域に分割した構成例を示す。多人数で遊戯を実施するのに適した構成である。このように、本発明は、帯領域によって島領域を任意の複数個の領域に分割した構成としてもよい。また、帯領域によって分割されたそれぞれの領域の大きさや形状も、その全部又は一部が互いに異なっていてもよい。
【００９３】
更に、本発明は、図１２に示すように、帯領域を有さず、環領域２１とただ一つの島領域２１とから構成されるものとしてもよい。この場合、模様部２０全体の面積が小さくなり、特に幅方向の寸法が小型化できるため、ベランダ等の狭い場所でも遊戯を実施することが可能となる。なお、図１２中においては、本発明の他の例として、第４の目印模様としての目印模様２２１ａを外形円形、目印模様２２１ｂを外形星形としたものを示したが、これは本発明の目印模様が任意の形状をとってもよいことの一例であり、他に多角形、楕円、数字、文字等の形状をとってもよい。これが図１等の構成において実現してもよいことは言うまでもない。このような目印模様のディテールの変更は、遊戯用マットが使用される状況を考慮して行うことができ、例えば屋内用、屋外用とで違えることができる。更に、上記創作遊戯の実施しやすさを考慮して、各領域における目印模様の個数は任意に増減（一切省略する場合をも含む）してもよい。
【００９４】
又、目印模様２３ｂについては、図中に示すように破線により表示されるものとしたが、実線、点線によって表示されるものであってもよい。外形が円形として知覚されるものであれば、その輪郭線の態様によって限定されるものではない。
【００９５】
更に、マット本体１０においては、その全面に緩衝材層１２を備えるものとしたが、本発明は、図２（ｂ）に示すように、少なくとも模様部２０が形成された部分にのみ緩衝材層を備えた構成であってもよい。遊戯者が実際に動き回る領域は模様部２０の上が大半だからである。この場合、マット本体１０の、模様部２０より外側に位置する部分１６については、緩衝材層１２に用いる材料より衝撃吸収特性に劣る材料を用いてもよい。
【００９６】
又、マット本体１０は、少なくとも表示体層１１及び緩衝材層１２から構成されるものとしたが、マット本体１０は単一の素材から構成されるものであってもよい。この場合、マット本体１０は、塩化ビニル樹脂等の一枚物の化学樹脂製のシートとして実現してもよいし、絨毯のような織布、更にはカーペットのような敷物として実現してもよい。なお、マット本体１０を織布やカーペットとした場合、模様部２０は織りのパターンとして構成されるようにすることが望ましい。又、上記シートとしては耐火性、防煙性を備えた素材を用いてもよい。更に、可撓性を有さない樹脂製、ガラス繊維製の一枚板として実現してもよい。更に、複数の小片のシート又はマットをつなぎ合わせてなる構成であるとしてもよい。
【００９７】
又、本発明の遊戯用マットは、屋内用として用いる場合は上述のようにマット本体１０が緩衝材層１２を備えた構成とすることが望ましいが、屋外用として用いる場合は、緩衝材層１２を省いた構成としてもよい。更には、マット本体１０は表面が人工芝状の形態を有するものであってもよい。
【００９８】
要するに、本発明の遊戯用マットのマット本体は、模様部を固定的に表示することができればよく、その材料や使用環境によって限定されるものではない。
【産業上の利用可能性】
【００９９】
以上説明したように、本発明によれば、知育体育の増進において十分な実用性を発揮しうる遊戯用マット及びそれを用いた遊具を得ることができ、例えば幼児・児童向けの遊具において有用である。
【符号の説明】
【０１００】
１    遊戯用マット
１０  マット本体
１１  表示体層
１２  緩衝材層
１３  接触層
１４  接合面
１５  被覆層
２０  模様部
２１  環領域
２２  島領域
２３  帯領域
２１１ａ、２２１ａ、２２１ｂ、２３ａ、２３ｂ  目印模様
２１２  外枠パターン
２１３  内枠パターン
２１４、２２３  桟パターン
【図１】
0005578433.tif 000002
【図２】
0005578433.tif 000003
【図３】
0005578433.tif 000004
【図４】
0005578433.tif 000005
【図５】
0005578433.tif 000006
【図６】
0005578433.tif 000007
【図７】
0005578433.tif 000008
【図８】
0005578433.tif 000009
【図９】
0005578433.tif 000010
【図１０】
0005578433.tif 000011
【図１１】
0005578433.tif 000012
【図１２】
0005578433.tif 000013